(57)【要約】【課題】弾力性がある薄い透明軟質フィルムが商品の表面にピッタリと密着した収納商品の形状を、台紙の両側に突出させることによって、ブリスター包装体を吊り下げて売り場に陳列したときにあたかもブリスター包装体の窓枠の中央に商品が空中に浮遊しているように、商品全体の立体的形状を見せるブリスター包装体を提供する。【解決手段】中央部に抜き穴を設けた長方形の台紙シートの抜き穴の周辺に２枚の弾性透明軟質ウレタンフィルムを溶着して固定し、２重積層の弾性透明軟質ウレタンフィルムの間に商品を挟持して、抜き穴の位置に商品を浮遊状態で保持して、収納用の開口部を弾性透明軟質ウレタンフィルムに設けた商品包装袋。【選択図】図３
0003156869.tif 000002
【実用新案登録請求の範囲】
【請求項１】
中央部に抜き穴を設けた長方形の台紙シートの片面に、抜き穴を覆う２枚の弾性透明軟質ウレタンフィルムが２枚同時に溶着固定された包装袋であって、２枚の弾性透明軟質ウレタンフィルムの２重積層フィルムは台紙シートの抜き穴の周辺に溶着して固定し、２枚の弾性透明軟質ウレタンフィルムの積層の１辺を開口部として開放してなり、該開口部に封口手段を設けたことを特徴とする商品包装袋。
【請求項２】
中央部に抜き穴を設けた長方形の台紙シートの片面に、１枚の抜き穴を覆う弾性透明軟質ウレタンフィルムが抜き穴周辺で溶着固定され、他の１枚の抜き穴を覆う弾性透明軟質ウレタンフィルムが台紙シートの他の面の抜き穴周辺で溶着固定され、該弾性透明軟質ウレタンフィルムの１辺を開口部として開放してなり、該開口部に封口手段を設けたことを特徴とする商品包装袋。
【請求項３】
開口部の封口手段が、粘着テープによる封口又は開口部から延設された粘着層付き封口片による封口である請求項１又は２項記載の商品包装袋。
【請求項４】
請求項１〜３のいずれか記載の商品包装袋に、商品を収納して、開口部を封口してなるブリスター包装体。
【請求項５】
請求項４記載のブリスター包装体を箱体に箱詰めにした包装体であって、該箱がブリスター包装体の台紙を、該箱体の中央平面又は中央平面近くの平行平面に該台紙の面を保持する構造を有するブリスター包装体の箱詰め包装体。
【考案の詳細な説明】
【技術分野】
【０００１】
本考案は商品のブリスター包装袋及びブリスター包装体に関する。通常、ブリスター包装体とは、台紙の片方の面にかまぼこ型にブリスター（あぶく）が突出して、該ブリスターの内部に商品を収納したものをいうが、本考案は、中央に抜き穴がある台紙の抜き穴部に商品を保持して、台紙の両側に商品の形状が突出するブリスター部を有し、商品の表裏の形状が空間に突出して、商品全体の形状が全方向から立体的に見える特有の形状のブリスター包装体及びこれに用いる商品包装袋に関する。
【背景技術】
【０００２】
従来より小型の商品などは、ブリスター包装体として店頭に陳列展示されることが広く行われている（特許文献１）。
ブリスター包装体は、商品の外表面の形状に対応した形状の容器に商品を収納することによって、商品の形状が台紙面から立体的に飛び出しているので、商品の立体感の実感が需要者の購買意欲を喚起する点で好まれている。
しかし、ブリスター包装体の商品の形状の立体感は、商品の表側の形状にのみ限定されるので、商品全体としての立体感の実感は半減されている。
本考案者は、以前に、台紙の両側に、台紙の両側に商品の形状が突出するブリスター部を有する形状のブリスター包装体を提案している（特許文献２）。
しかし、このブリスター包装体には、商品を挿入するための開口部がなく、ブリスター包装体を形成すると同時に商品を収納するものであり、ブリスター包装材の製造時に商品を収納することが必要となる。したがって、ブリスター包装体となる商品包装袋を製造して、商品製造業者において、これに商品を収納し、ブリスター包装体を形成する流通経路において使用することはできない。
【先行技術文献】
【特許文献】
【０００３】
【特許文献１】特開２００６−１３１３０５号公報
【特許文献２】実用新案登録第３１５２８３４号公報
【考案の概要】
【考案が解決しようとする課題】
【０００４】
本考案は、弾力性がある薄い透明軟質フィルムが商品の表面にピッタリと密着した収納商品の形状を、台紙の両側に突出させることによって、ブリスター包装体を吊り下げて売り場に陳列したときに、あたかもブリスター包装体の窓枠の中央に商品が空中に浮遊しているように、商品全体の立体的形状を見せて、表側又は裏側からも明確に商品の立体形状を購入者に把握させ、商品のほぼ完全な３次元立体感によって、購買意欲を喚起することを目的とする。
そして、本考案の商品の空中浮遊保持の目的は、副次的に、軟質フィルムの弾力による商品の保持によって、台紙にかかる衝撃を緩和する緩衝効果をも達成される。
その結果、本考案ブリスター包装体を、緩衝材なしのダンボール梱包等の箱詰め包装に活用できる。
そして、本考案ブリスター包装体には、商品収納用の開口部があるので、ブリスター包装用の商品包装袋を、前もって製造して、これに商品を収納して、ブリスター包装体を製造するという商品包装袋の製造と袋詰めの現場が異なる流通形態に用いることができる。そして、ブリスター包装体から商品を出し入れ可能とする目的も達成される。
【課題を解決するための手段】
【０００５】
本考案者は、前記目的を達成するために鋭意研究を重ねた結果、１枚の堅い台紙の中央部に商品の寸法より大きい抜き穴を設け、該抜き穴に、弾力がある２枚の透明軟質ウレタンフィルムを重ねて貼り付けて、その２枚の透明軟質ウレタンフィルムの間に商品を挟持して、抜き穴の空間に商品を浮遊するように保持することによりその目的を達成し得ることを見出して本考案を完成するに至った。
すなわち、本考案は、
（１）中央部に抜き穴を設けた長方形の台紙シート１の片面に、抜き穴を覆う２枚の弾性透明軟質ウレタンフィルム２、３が２枚同時に溶着固定された包装袋であって、２枚の弾性透明軟質ウレタンフィルムの２重積層フィルムは台紙シートの抜き穴の周辺４、５に溶着して固定し、２枚の弾性透明軟質ウレタンフィルムの積層の１辺を開口部として開放してなり、該開口部に封口手段を設けたことを特徴とする商品包装袋、
（２）中央部に抜き穴を設けた長方形の台紙シート１の片面に、１枚の抜き穴を覆う弾性透明軟質ウレタンフィルム２が抜き穴周辺で溶着固定され、他の１枚の抜き穴を覆う弾性透明軟質ウレタンフィルム３が台紙シートの他の面の抜き穴周辺で溶着固定され、該弾性透明軟質ウレタンフィルムの１辺を開口部として開放してなり、該開口部に封口手段を設けたことを特徴とする商品包装袋、
（３）開口部の封口手段が、粘着テープ７による封口又は開口部から延設された粘着層付き封口片による封口である第１又は２項記載の商品包装袋、
（４）第１〜３項のいずれか記載の商品包装袋に、商品を収納して、開口部を封口してなるブリスター包装体、
（５）第４項記載のブリスター包装体を箱体に箱詰めにした包装体であって、該箱がブリスター包装体の台紙を、該箱体の中央平面又は中央平面近くの平行平面に該台紙の面を保持する構造を有するブリスター包装体の箱詰め包装体、
を提供するものである。
【考案の効果】
【０００６】
本考案によれば、陳列時に、商品ががたつくことなく、台紙の両面から商品の表裏の外郭形状が突出してしっかりと台紙の抜き穴の位置に全体が立体的に見えるように保持されているので、商品があたかも空中に浮遊しているように見える斬新な見栄えの包装体を提供することができる。そして、ブリスター包装体に用いる商品包装袋に、開口部があるので、ブリスター包装体用の商品包装袋を、先に製造して、弾力がある透明軟質ウレタンフィルムの伸びを活用して、商品を商品包装袋に収納させることができる。また、同時に、ブリスター包装体から、商品を出し入れできる。
さらに、ブリスター包装体を箱詰めにしたブリスター包装体の箱詰め包装体は、通販等で商品を送る場合の梱包として有用であり、弾性透明軟質ウレタンフィルムに挟まれて、箱中に宙づり状態で包装されているので、運送中の衝撃を十分に緩衝する作用効果があり、商品を安全に運送することができて、脆性商品の流通に有用である。
【図面の簡単な説明】
【０００７】
【図１】本考案の商品包装袋の一例を示す平面図である。
【図２】図１におけるＡ−Ａ線断面図である。
【図３】図２の商品包装袋に商品を収納した包装体の断面図である。
【図４】本考案の商品包装袋の他の態様を示す平面図である。
【図５】図４におけるＡ−Ａ線断面図である。
【図６】本考案の商品包装袋の他の態様を示す平面図である。
【図７】図６におけるＡ−Ａ線断面図である。
【図８】図６の商品包装袋に商品を収納した包装体の断面図である。
【図９】本考案のブリスター包装体を配送用段ボール箱内に装着するときの折り曲げ差し込み片付きブリスター包装体の構造を示す斜視図である。
【図１０】本考案の包装体を配送用段ボール箱内に装着した状態を説明するための該包装体の斜視図と、蓋部が開放された状態の該段ボール箱の斜視図である。
【図１１】本考案の包装体を、蓋部が開放された段ボール箱内に装着した状態を示す斜視図である。
【考案を実施するための形態】
【０００８】
本考案のブリスター包装体用の商品包装袋は、台紙、透明軟質ウレタンフィルムから形成される。
本考案に用いる台紙は、弾性透明軟質ウレタンフィルムを溶着固定できるものであれば、特に制限はなく使用でき、従来ブリスター包装体の台紙として用いられている硬質の紙を使用することができる。台紙は、堅いほど、本考案ブリスター包装体の形状が安定していて、包装体の外観の見栄えがよい。台紙の厚さ及び寸法は、台紙の硬度に応じて、適宜選択されるが、０.３〜２ｍｍの厚さを好適に用いることができる。
例えば、ライナーや中心原紙などの段ボール原紙、白板紙、マニラボール紙、白ボール紙、黄ボール紙、コートボール紙、色板紙などの紙器用板紙等の板紙、合成紙あるいは炭酸カルシウムを６５〜８５質量％程度含有するプラスチック合成紙を挙げることができる。
一方、本考案の包装体に用いる弾性透明軟質ウレタンフィルムは、透明熱可塑性ポリウレタン製フィルムであって、透明性、強度、耐摩耗性、耐寒性などに優れると共に、良好な柔軟性、ゴム弾性、耐熱性、耐薬品性などを有している。また耐候性を向上させるために、酸化防止剤、紫外線吸収剤、光安定剤などを添加したものが好ましい。
当該軟質ウレタンフィルムの厚さに特に制限はなく、包装される商品の重さなどに応じて、強度と密着性の観点から適宜選定されるが、通常４０〜５００μｍ程度である。
厚さが薄いほど、伸びが大きく商品の形状に対する追従性がよいが、破れ易くなる。
本考案の透明軟質ウレタンフィルムは、弾性率が小さく、伸度があるので、ブリスター包装において、商品の形状に合わせて、伸び縮みするので、台紙から商品の形状をそのまま台紙の面から表裏両方向に突出させながら、商品を台紙の中央に浮遊状態で保持させることができる。
また、本考案の包装体に収納固定される商品の種類に特に制限はなく、従来ブリスター包装に用いられている商品を使用することができる。当該商品としては、例えば電気電子部品、文房具、医薬品、化粧品、飲料、写真フィルム、乾電池、その他日用品などを挙げることができる。
【０００９】
本考案の商品包装袋の態様は二つあり、第１の態様は、図１〜２の商品包装袋であり、中央部に抜き穴を設けた長方形の厚紙台紙シート１の片面に、抜き穴を覆う２枚の弾性透明軟質ウレタンフィルム２、３が２枚同時に抜き穴の周辺４及び５に溶着固定された包装袋であって、２枚の透明軟質ウレタンフィルムの２重積層フィルムは台紙シートの抜き穴の周辺に溶着して固定し、２枚の透明軟質ウレタンフィルムの積層の１辺を開口部８として開放していて、該開口部８に封口として粘着テープ７を設けた商品包装袋である。抜き穴を覆う２枚の弾性透明軟質ウレタンフィルム２、３が２枚同時に抜き穴の周辺４で溶着固定されているが、上辺の抜き穴の周辺５では、透明軟質ウレタンフィルム２のみが、周辺５で溶着されているが、弾性透明軟質ウレタンフィルム３は、同時に融着されていない。そのため、開口部８から収納する商品が周辺５の弾性透明軟質ウレタンフィルム２と弾性透明軟質ウレタンフィルム３との間を通過して、図３のように、ブリスター包装体を形成することができる。図１では２枚の弾性透明軟質ウレタンフィルム２、３の周辺は、台紙シート周縁６で溶着されている。
本考案の台紙シートの片側に２枚の弾性透明軟質ウレタンフィルムを貼り付ける態様の開口部としては、２枚の弾性透明軟質ウレタンフィルムの積層の全周辺を２枚同時にまとめて抜き穴の周辺４及び周辺５で一旦溶着してから、周辺５の部分に切り目を入れて、開口部を形成することもできる。
図１及び図２には、開口部８が設けられていて、商品９を開口部８を経由して２枚の弾性透明軟質ウレタンフィルム２、３の間に収納させることができる。図３は、円筒形の商品９を、図１〜２の商品包装袋に収納させた場合の断面図である。
図３のブリスター包装体は、円筒形の商品を収納した状態であり、円筒形商品は、台紙シート１の抜き穴の中央部の空間に弾力がある透明軟質ウレタンフィルムで保持されているので、抜き穴空間に浮遊するように保持されている。
図３のブリスター包装体は、台紙シートの上部又は下部に吊り下げ穴又は、フック具を付けて、吊り下げて陳列することができる。
【００１０】
図４〜５は、図１〜３の商品包装袋の上部の開口部８を、下方に設け、２枚の弾性透明軟質ウレタンフィルム２、３と台紙シート面との融着を、台紙シートの抜き穴周辺のみにして、商品包装袋である。
図４の台紙シート１は、長方形状の台紙シートの中央に長方形の抜き穴を設け、上部に吊り下げ穴Ｍが打ち抜かれている。
この台紙シート１の抜き穴の周縁に、抜き穴の寸法より大きい、長方形の２枚の弾性透明軟質ウレタンフィルム２、３を被せて、該２枚積層フィルムの側辺と上辺の３辺を台紙シートの抜き穴の周縁４に溶着して、下方を溶着しないで、開口部８が設けられている。  開口部８には、透明な粘着テープ７が貼着されていて、粘着テープ７を剥がして、開口部８から商品を、２枚の弾性透明軟質ウレタンフィルム２、３の間に滑り込ませて台紙シートの中央部に収納させることができる。商品収納後は、２枚の弾性透明軟質ウレタンフィルムの弾力によって、商品は支えられるので、商品は開口部８から落下することはない。場合によっては、商品収納後に透明な粘着テープ７によって、開口部８を封口することができる。このとき、粘着テープ７が透明であると、封口粘着テープが目立たない利点がある。
図４では、２枚積層フィルムの側辺と上辺の３辺を台紙シートの抜き穴の周縁４に溶着するときに、抜き穴の内周Ｎの少し外側に溶着しているが、抜き穴の内周Ｎ一杯に溶着することもできる。
【００１１】
本考案商品包装袋の第２の態様は、図６〜８に示す態様であり、図１の態様との差異は弾性透明軟質ウレタンフィルム２、３が台紙シートの両面に分かれて溶着されている。
本考案商品包装袋の第２の態様は、中央部に抜き穴を設けた長方形の厚紙台紙シート１の片面に、１枚の抜き穴を覆う弾性透明軟質ウレタンフィルム２が抜き穴周辺４、５で溶着固定され、他の１枚の抜き穴を覆う弾性透明軟質ウレタンフィルム３が台紙シートの他の面の抜き穴周辺４で溶着固定され、該弾性透明軟質ウレタンフィルムの１辺を開口部８として開放してなり、該開口部に封口手段９を設けたことを特徴とする商品包装袋である。
弾性透明軟質ウレタンフィルム２は、抜き穴周辺全周で溶着固定されているが、弾性透明軟質ウレタンフィルム３は、抜き穴周辺４で溶着しているが、開口部８がある周辺５では溶着しないで、開放している。台紙シート周縁６には、弾性透明軟質ウレタンフィルム２、３がそれぞれ溶着されている。
図７の開口部８から円筒形状の商品９を収納すると、図３と同様に、台紙シート１の抜き穴の中央に、円筒形商品が立体的に丸見え状態で浮遊するように保持される。
【００１２】
本考案ブリスター包装体の特徴的使用態様として、本考案ブリスター包装体の箱詰め包装体がある。
図９〜１１に示すように、本考案のブリスター包装体を箱体に箱詰めにした包装体であって、該箱がブリスター包装体の台紙を、該箱体の中央平面又は中央平面近くの平行平面に該台紙の面を保持する構造を有するブリスター包装体の箱詰め包装体３０である。
図９に示す本考案ブリスター包装体１０は、台紙シート１の両端から、外箱の内壁に設けた係止スリット２１に差し込む差し込み係止片１１が延設されている。
商品９は、台紙シート１の平面上であって、抜き穴の中央部に、弾性透明軟質ウレタンフィルム２及び３によって、浮遊するように水平に保持されている。
ブリスター包装体１０を図１０に示すように、外箱２０の中に嵌め込んで、差し込み係止片１１を係止スリット２１に差し込んで、係止スリット２１の段差に台紙シートの端縁を乗せながら固定して、図１１のように、箱詰めにして、外箱蓋片２２、２３を被せて箱詰め包装体３０を完成する。
本考案ブリスター包装体の箱詰めの方法は、図９〜１１の方法に限らず、台紙シートを箱の中心平面近く又は該平面の平行平面に維持できる方法であれば、どのような方法でも採用できる。
本考案ブリスター包装体を箱詰め包装体にする場合は、箱の中のブリスター包装体が、紛争中の取り扱いにおいて、箱の内面に衝突しないように十分な間隙、例えば、１〜２ｃｍをあけておくことが望ましい。この間隔を十分にとれば、箱に、発泡スチロールのような緩衝材を充填しなくとも、商品をダンボール等による箱詰め包装体として安全に運送できる。
【産業上の利用可能性】
【００１３】
本考案の包装体は、商品がしっかりと収納固定されると共に、台紙平面の抜き穴空間に収納商品が空中に浮遊するような状態で、立体的に把握できるので、陳列効果が大きく、ブリスター包装体による商品販売分野において有用である。
また、収納固定される商品が比較的大きく、かつ消費者に配送する場合、箱詰めに適した簡単な構造を有する本考案の包装体の箱詰め包装体を製作し、かつ特定構造の段ボール箱内に該包装体を装着することにより、緩衝材を詰込まなくても配送が可能であり、梱包配送分野にも利用可能である。
【符号の説明】
【００１４】
１  台紙シート
２、３  弾性透明軟質ウレタンフィルム
４、５  抜き穴周辺
６  台紙シート周縁
７  粘着テープ
８  開口部
９  商品
１０  ブリスター包装体
１１  差し込み係止片
２０  外箱
２１  係止スリット部
２２、２３  外箱蓋片
３０  箱詰め包装体
Ｍ  吊り下げ穴
Ｎ  抜き穴の内周
【図１】
0003156869.tif 000003
【図２】
0003156869.tif 000004
【図３】
0003156869.tif 000005
【図４】
0003156869.tif 000006
【図５】
0003156869.tif 000007
【図６】
0003156869.tif 000008
【図７】
0003156869.tif 000009
【図８】
0003156869.tif 000010
【図９】
0003156869.tif 000011
【図１０】
0003156869.tif 000012
【図１１】
0003156869.tif 000013